(57)【要約】【課題】閲覧する時刻や時間等に基づいてコンテンツ情報を管理し、機密性の高いコンテンツ情報の漏洩を防止すること。【解決手段】現在の時刻、又は所定時点からの経過時間を把握し、把握した結果に基づき、利用出来るコンテンツ情報を把握する。そして利用出来るコンテンツ情報がコンテンツ表示装置Ａの表示部１０４に表示される。【選択図】図１
2010066555.tif 000002
【特許請求の範囲】
【請求項１】
コンテンツ情報と、時刻又は所定時間に対応してコンテンツ情報の利用制限が規定された制限情報と、を保持する保持部と、
当該保持部により保持されたコンテンツ情報を表示する表示部と、
時刻情報又は所定の時間情報の少なくとも一方を取得する取得部と、
少なくとも前記表示部を制御する制御部と、を有し、
前記制御部は、前記保持部に保持された前記制限情報と、前記取得部により取得された前記時刻情報又は前記所定の時間情報に基づき、前記保持部に保持されたコンテンツ情報の中から利用出来るコンテンツ情報を把握し、利用出来るコンテンツ情報を前記表示部に表示するよう、少なくとも前記表示部を制御することを特徴とするコンテンツ表示装置。
【請求項２】
前記制御部は、前記保持部に保持された前記制限情報と、前記取得部により取得された前記時刻情報又は前記所定の時間情報に基づき、前記保持部に保持されたコンテンツ情報の中から利用出来ないコンテンツ情報を把握し、利用出来ないコンテンツ情報を前記表示部に表示しないよう、少なくとも前記表示部を制御する請求項１に記載のコンテンツ表示装置。
【請求項３】
前記制御部は、前記保持部に保持された前記制限情報と、前記取得部により取得された前記時刻情報又は前記所定の時間情報に基づき、前記保持部に保持されたコンテンツ情報の中から利用出来ないコンテンツ情報を把握し、利用出来ないコンテンツ情報の視認性を劣化させて前記表示部に表示するよう、少なくとも前記表示部を制御する請求項１に記載のコンテンツ表示装置。
【請求項４】
前記制御部は、利用出来るコンテンツ情報のうち一部の情報のみを前記表示部に表示するよう、少なくとも前記表示部を制御する請求項１乃至３の何れか１項に記載のコンテンツ表示装置。
【請求項５】
前記制御部は、利用出来るコンテンツ情報のうち書誌事項に関する情報のみを前記表示部に表示するよう、少なくとも前記表示部を制御する請求項１乃至４の何れか１項に記載のコンテンツ表示装置。
【請求項６】
前記取得部は、定期的に前記時刻情報を取得する請求項１乃至５の何れか１項に記載のコンテンツ表示装置。
【請求項７】
前記所定の時間情報は、前記保持部にコンテンツ情報が保持されてからの経過時間に関する情報である請求項１乃至５の何れか１項に記載のコンテンツ表示装置。
【請求項８】
前記所定の時間情報は、前記表示部にコンテンツ情報を表示してからの経過時間に関する情報である請求項１乃至５の何れか１項に記載のコンテンツ表示装置。
【請求項９】
前記表示部より表示されるコンテンツ情報の種類を変更する場合、その旨を通知する通知部を有する請求項１乃至８の何れか１項に記載のコンテンツ表示装置。
【請求項１０】
前記表示部により表示されるコンテンツ情報の種類を変更するか否かが選択される選択部を有する請求項１乃至９の何れか１項に記載のコンテンツ表示装置。
【発明の詳細な説明】
【技術分野】
【０００１】
本発明はコンテンツ情報を表示するコンテンツ表示装置に関する。
【背景技術】
【０００２】
オフィスにはプリンタや複写機が多く普及しており、例えばパーソナルコンピュータ（以下「ＰＣ」と記す）で作成・編集した電子データをＰＣの画面で閲覧するだけでなく、プリンタ等から紙に出力して閲覧する場合がある。また、ＰＣで作成・編集した電子データを会議資料として使用する場合、会議の参加者用にプリンタ等から多量に紙に出力して会議室に出力した紙を持ち運んで使用する。
【０００３】
しかし、プリンタ等から出力した紙は不要になると廃棄処分となってしまうため、エコロジーの観点で好ましくない。従って、プリンタ等から紙に出力せず、ＰＣで作成・編集した電子データをユーザーが気軽に持ち運んで閲覧出来る方法が望まれていた。
【０００４】
そこで、近年、紙に出力せず電子データを持ち運んで閲覧出来る電子ペーパーの技術が実用化されつつあり、将来的にはオフィス等においても利用される可能性がある。また、ハードディスクを持たないＰＣを持ち歩き、必要な場合にそのＰＣからサーバにアクセスして電子データを閲覧する技術も考えられている。
【０００５】
電子ペーパー等の表示記録媒体の技術としては特許文献１に記載の技術がある。特許文献１に記載の技術は、ドキュメント画像を書き換え可能に表示保持する電子ペーパーを用いて、ドキュメント画像の表示態様をユーザー毎に変更することにより、ユーザー権限に基づく個々のドキュメント管理を合理的に行うという技術である。
【特許文献１】特開２００６−３０５５９号公報
【発明の開示】
【発明が解決しようとする課題】
【０００６】
ところで、電子ペーパー等を用いて電子データを閲覧する際に、閲覧する時刻や時間に関してセキュリティを考慮する必要がある。
【０００７】
例えば、オフィスにおいてサーバから電子データを取得して電子ペーパー等で閲覧する場合、オフィスの就業時間において業務に関する電子データをサーバから取得して自由に閲覧することは問題ない。しかし、深夜などの就業時間外で業務に関する電子データを自由に閲覧させる必要はなく、就業時間外で業務に関する電子データを自由に閲覧出来てしまうと、例えばオフィスへの侵入者に業務に関する機密情報が漏洩してしまう可能性がある。更に就業時間内であっても、例えば電子ペーパー等を社外に持ち運んで社外の会議に臨む場合、会議の時間は業務に関する電子データを閲覧可能としてよいが、会議の時間外（移動時間等）に業務に関する電子データを閲覧出来てしまうと、社外の人物に業務に関する機密情報が漏洩してしまう可能性がある。
【０００８】
また、オフィスにおいてサーバから業務に関する電子データを電子ペーパー等に記憶させ、長い時間閲覧出来る状態にしておくと、ユーザーが就業時間外にオフィス外で閲覧する可能性があり、オフィス外で閲覧している最中に不用意に他人に機密情報が見られ、機密情報が漏洩してしまう可能性がある。
【０００９】
特許文献１に記載の技術ではユーザー毎にドキュメント画像の表示態様を変更しているが、閲覧する時刻や時間に関してセキュリティは考慮されておらず、機密性の観点で万全ではない。
【００１０】
そこで、本発明の目的は、閲覧する時刻や時間等に基づいてコンテンツ情報を管理し、機密性の高いコンテンツ情報の漏洩を防止するコンテンツ表示装置を提供することになる。
【課題を解決するための手段】
【００１１】
上記目的を達成するため、本発明に係るコンテンツ表示装置は、
コンテンツ情報と、時刻又は所定時間に対応してコンテンツ情報の利用制限が規定された制限情報と、を保持する保持部と、
当該保持部により保持されたコンテンツ情報を表示する表示部と、
時刻情報又は所定の時間情報の少なくとも一方を取得する取得部と、
少なくとも前記表示部を制御する制御部と、を有し、
前記制御部は、前記保持部に保持された前記制限情報と、前記取得部により取得された前記時刻情報又は前記所定の時間情報に基づき、前記保持部に保持されたコンテンツ情報の中から利用出来るコンテンツ情報を把握し、利用出来るコンテンツ情報を前記表示部に表示するよう、少なくとも前記表示部を制御することを特徴とするものである。
【発明の効果】
【００１２】
本発明に係るコンテンツ表示装置によれば、閲覧する時刻や時間等に基づいてコンテンツ情報を管理し、機密性の高いコンテンツ情報の漏洩を防止することが出来る。
【発明を実施するための最良の形態】
【００１３】
［コンテンツ表示装置の概要］図１はコンテンツ表示装置とＰＣが接続された状態を示す概略図である。
【００１４】
図１に示すコンテンツ表示装置Ａは電子ペーパーやモバイルパソコン等、持ち運び可能な表示端末である。コンテンツ表示装置Ａは内部に複数のコンテンツ情報（画像や文章等）を記憶（保持）しており、コンテンツ表示装置Ａの表示部１０４において記憶されたコンテンツ情報が表示される。
【００１５】
コンテンツ表示装置Ａに記憶されたコンテンツ情報のうち表示部１０４に表示させるコンテンツ情報は、選択部１０５を通じてユーザーが選択する。
【００１６】
図１に示すようにコンテンツ表示装置ＡはクレードルＫにセットされ充電等が行われる。クレードルＫにはＰＣ（パーソナルコンピュータ）が接続されている。コンテンツ情報をコンテンツ表示装置Ａに記憶させる場合、コンテンツ表示装置ＡをクレードルＫにセットし、ＰＣの画面又はコンテンツ表示装置Ａの表示部１０４を通じて所定のコンテンツ情報をＰＣからコンテンツ表示装置Ａに転送させる。
【００１７】
なお、クレードルＫを介さず、コンテンツ表示装置ＡをＵＳＢやＩＥＥＥ１３９４でＰＣに直に接続し、コンテンツ情報をＰＣからコンテンツ表示装置Ａに転送させるようにしてもよい。また、無線ＬＡＮやＢｌｕｅＴｏｏｔｈを通じてコンテンツ情報をＰＣからコンテンツ表示装置Ａに転送させても良い。
【００１８】
図２はコンテンツ表示装置Ａのブロック図であり、代表的な構成を示している。コンテンツ表示装置ＡとＰＣは通信部１０７を介してコンテンツ情報の授受が行われる。
【００１９】
制御部１０１はコンテンツ表示装置Ａにおける各部の動作を制御するものであり、具体的にはＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等から構成される。
【００２０】
保持部１０２は、ＰＣから転送されたコンテンツ情報を保持するものであり、ハードディスク等、情報を記憶出来るものであれば良い。また、保持部１０２は、時刻又は所定時点からの経過時間（所定時間）に対応してコンテンツ情報の利用制限が規定された制限情報も保持しており、この制限情報を利用することにより表示部１０４に表示されるコンテンツ情報が制限される。
【００２１】
取得部１０３は、時刻に関する情報（時刻情報）又は所定時点からの経過時間に関する情報（所定の時間情報）を取得するものであり、保持部１０２に保持された制限情報と同様、取得部１０３により取得された時刻情報等を利用することにより表示部１０４に表示されるコンテンツ情報が制限される。時刻情報は、電波や通信可能な所定のサーバから取得する。また、取得部１０３はタイマーを内蔵しており、例えばコンテンツ表示装置Ａの電源がＯＮした時からの経過時間や、表示部１０４にコンテンツ情報が表示された時からの経過時間を取得する。
【００２２】
表示部１０４は、コンテンツ表示装置Ａにおいて利用出来るコンテンツ情報を表示する。表示部１０４はタッチパネル形式となっており、表示部１０４に表示されたコンテンツ情報に対して書き込み等を行うことが出来る。表示部１０４は液晶、有機ＥＬ、プラズマ等、公知の表示手段である。
【００２３】
選択部１０５は、表示部１０４に表示させるコンテンツ情報を選択したり、コンテンツ表示装置Ａにおいてどのような動作を実行させるのか選択したりする。
【００２４】
通知部１０６は、コンテンツ表示装置Ａを使用するユーザーに所定の警告等を通知するものであり、表示部１０４を通じて通知したり、音声を通じて通知したりする。
【００２５】
［コンテンツ情報の利用制限］図１、図２に示すコンテンツ表示装置Ａは持ち運び可能な表示端末であるが、例えば、オフィスにおいてＰＣから業務に関するコンテンツ情報を取得してコンテンツ表示装置Ａで閲覧する場合、オフィスの就業時間において業務に関するコンテンツ情報を自由に閲覧することは問題ない。しかし、深夜などの就業時間外で業務に関するコンテンツ情報を自由に閲覧出来てしまうと、例えばオフィスへの侵入者に業務に関する機密情報が漏洩してしまう可能性がある。そこで、時刻や時間を基準としてコンテンツ表示装置Ａで閲覧出来るコンテンツ情報を制限するようにする。以下、この点について詳しく説明する。
【００２６】
［時刻を基準とするコンテンツ情報の利用制限］まず、時刻を基準として利用出来るコンテンツ情報を把握する動作について説明する。図３は、時刻を基準として利用出来るコンテンツ情報を把握してコンテンツ情報を表示部に表示する動作を示すフローチャート図である。なお、図３における判断ステップ（ステップＳ５、Ｓ８、Ｓ１１）は、制御部１０１により実行される。
【００２７】
ユーザーによってコンテンツ表示装置Ａの電源がＯＮされ、利用開始要求（利用開始時を示す要求である）があると（ステップＳ１）、コンテンツ表示装置Ａにおける取得部１０３によって、現在の時刻に関する情報である時刻情報を取得する（ステップＳ２）。取得した時刻情報は保持部１０２に一旦保存される。
【００２８】
ステップＳ２において時刻情報を取得すると、現在の時刻において利用出来るコンテンツ情報と利用出来ないコンテンツ情報を各々把握する（ステップＳ３）。
【００２９】
利用出来るコンテンツ情報と利用出来ないコンテンツ情報の把握は、ステップＳ２で取得した時刻情報と、時刻に対応してコンテンツ情報の利用制限が規定された制限情報に基づいて実行される。制限情報はコンテンツ表示装置Ａにおける保持部１０２に保持されており、例えば以下の表１、表２に示すようなデータテーブルの情報である。なお、本実施形態では、保持部１０２においてコンテンツ１〜コンテンツ５０の５０個のコンテンツ情報が保持されているものとする。
【００３０】
【表１】
2010066555.tif 000003
【００３１】
表１は、時刻毎にセキュリティレベルが設定されており、時刻によって３段階に分かれている。例えばステップＳ２において取得した時刻が８：３０〜１７：１０の間であれば、保持部１０２に保持されているコンテンツ１〜コンテンツ５０の全てのコンテンツ情報が利用出来るコンテンツ情報であると把握される。また、例えばステップＳ２において取得した時刻が７：００〜８：３０の間、又は１７：１０〜２２：００の間であれば、保持部１０２に保持されているコンテンツ２〜５０が利用出来るコンテンツ情報であると把握され、コンテンツ１が一部利用出来るコンテンツ情報であると把握される。
【００３２】
【表２】
2010066555.tif 000004
【００３３】
表２は、コンテンツ毎に利用出来る時刻、一部利用出来る時刻、利用出来ない時刻が規定されている。例えばステップＳ２において取得した時刻が５月３０日の１１：００であれば、保持部１０２に保持されているコンテンツ１は利用出来るコンテンツ情報であると把握される（表２に示すように時刻だけでなく日付も考慮して把握させるようにしても良い）。
【００３４】
ステップＳ３において利用出来るコンテンツ情報と利用出来ないコンテンツ情報を把握すると、利用出来るコンテンツ情報をコンテンツ表示装置Ａにおける表示部１０４に表示する（ステップＳ４）。一方、利用出来ないコンテンツ情報は機密性を考慮して表示部１０４に表示しない。このように時刻情報に基づいてコンテンツ情報の利用を制限すれば、機密性の高いコンテンツ情報の漏洩を防止しつつ、利用出来るコンテンツ情報を閲覧することが出来る。
【００３５】
なお、表示部１０４におけるコンテンツ情報の表示動作であるが、利用出来ないコンテンツ情報に対して視認性を劣化（例えば文字や画像をぼかす等）させて表示部１０４に表示しても良い。このようにすれば同様に機密性の高いコンテンツ情報の漏洩を防止出来る。
【００３６】
また、表１、表２に示す制限情報を利用して把握した一部利用出来るコンテンツ情報に対しては、例えば、図４に示すようにコンテンツ情報の最初の５文字のみを表示したり、図５に示すように書誌事項のみ表示したりして、一部の情報のみを表示部１０４に表示しても良い。このようにすればコンテンツ情報を全部は閲覧させなくないが、一部は閲覧させたい場合に有効となる。
【００３７】
また、ステップＳ４において利用出来るコンテンツ情報を表示する場合、最初に利用出来るコンテンツ情報を一部の情報のみを表示し、ユーザーが選択した場合にコンテンツ情報の全体を表示するようにしても良い。
【００３８】
また、ステップＳ３において利用出来るコンテンツ情報と利用出来ないコンテンツ情報を把握すると、利用出来るコンテンツ情報のみをリストとして表示し、閲覧したい場合はリストの中のコンテンツ情報を選択するようにしても良い。また、利用出来るコンテンツ情報と利用出来ないコンテンツ情報をリストとして表示し、利用出来ないコンテンツ情報の閲覧を要求しても表示しなかったり、視認性を劣化させて表示したりする。リストにおいて利用出来るコンテンツ情報と利用出来ないコンテンツ情報が区別して表示しても良いし、利用可能な時刻情報を表示しても良い。また、閲覧要求時に今は閲覧出来ない等をユーザーに対して通知しても良い。
【００３９】
ステップＳ３で一度、時刻情報に基づいて利用出来るコンテンツ情報と利用出来ないコンテンツ情報を把握し、その結果に基づいてステップＳ４で利用出来るコンテンツ情報を表示部１０４に表示したが、継続的にコンテンツ情報の機密性を確保するため、定期的に時刻情報を取得して利用出来るコンテンツ情報と利用出来ないコンテンツ情報を把握する。
【００４０】
ステップＳ５において、例えば時刻情報を取得した時（ステップＳ２）から所定時間経過したか否か判断する。所定時間経過したか否かは取得部１０３に内蔵されたタイマーの計測時間を用いて判断する。
【００４１】
ステップＳ５で所定時間経過したと判断すると（ステップＳ５；Ｙｅｓ）、ステップＳ２と同様に取得部１０３によって現在の時刻情報を取得し（ステップＳ６）、表１や表２に示す制限情報を利用して現在の時刻において利用出来るコンテンツ情報と利用出来ないコンテンツ情報を各々把握する（ステップＳ７）。
【００４２】
そしてステップＳ７で把握した利用出来るコンテンツ情報等と、前に把握した利用出来るコンテンツ情報等を比較し、表示されるコンテンツ情報を変更するか否か判断する（ステップＳ８）。
【００４３】
ステップＳ８において表示されるコンテンツ情報を変更すると判断した場合は（ステップＳ８；Ｙｅｓ）、表示されるコンテンツ情報の種類を変更する旨を通知部１０６により通知した後（ステップＳ９）、ステップＳ７で把握した利用出来るコンテンツ情報をコンテンツ表示装置Ａの表示部１０４に表示し（ステップＳ１０）、利用出来ないコンテンツ情報は機密性を考慮して表示部１０４に表示しない。つまり、ユーザーがコンテンツ情報を閲覧中であっても、時刻情報を取得した結果、閲覧中のコンテンツ情報が利用出来ないコンテンツ情報として把握された場合は、その旨が通知され、利用出来るコンテンツ情報、利用出来ないコンテンツ情報等の種類を変更することになる（なお、表示部１０４の片隅に利用出来るコンテンツ情報の条件を表示しても良い）。このようにコンテンツ情報の種類を変更する旨を通知部１０６により通知すれば、ユーザーは違和感なくコンテンツ表示装置Ａの利用を継続することが出来る。
【００４４】
なお、ステップＳ９における通知の後で、コンテンツ情報の表示を変更するか否かを選択部１０５を通じてユーザーに選択してもらい、表示の変更が選択された場合にのみ表示部１０４に表示されるコンテンツ情報の種類を変更するようにしても良い。このようにすれば、ユーザーの意思も反映されることが出来る。
【００４５】
ステップＳ８において表示されるコンテンツ情報を変更しないと判断した場合（ステップＳ８；Ｎｏ）、以前把握されたものと同様の利用出来るコンテンツ情報をコンテンツ表示装置Ａにおける表示部１０４に表示し、利用出来ないコンテンツ情報は機密性を考慮して表示部１０４に表示しない。
【００４６】
そして電源ＯＦＦでない限り、ステップＳ５〜Ｓ１０までの動作を繰り返す。
【００４７】
以上説明したように、定期的に時刻情報を取得して利用出来るコンテンツ情報と利用出来ないコンテンツ情報を把握すれば、継続的に機密性の高いコンテンツ情報の漏洩を防止することが出来る。
【００４８】
［所定時点からの経過時間を基準とするコンテンツ情報の利用制限］次に所定時点からの経過時間を基準として利用出来るコンテンツ情報を把握する動作について説明する。図６は、所定時点からの経過時間を基準として利用出来るコンテンツ情報を把握してコンテンツ情報を表示部に表示する動作を示すフローチャート図である。なお、図６における判断ステップ（ステップＳ２３、Ｓ２６、Ｓ２９）は、制御部１０１により実行される。
【００４９】
ユーザーによってコンテンツ表示装置Ａの電源がＯＮされ、利用開始要求（利用開始時を示す要求である）があると（ステップＳ２１）、保持部１０２に保持されているコンテンツ情報を表示部１０４に表示する（ステップＳ２２）。ステップＳ２２の段階ではコンテンツ情報の利用が制限されず、保持部１０２に保持されている全てのコンテンツ情報が表示可能となっている。
【００５０】
次に、表示部１０４における表示動作からの時間を取得部１０３に内蔵するタイマーで計測し、所定時間経過したが否か判断する（ステップＳ２３）。所定時間は予め決められている時間であり、また、コンテンツ情報の利用を定期的に制限するために決められている時間である。
【００５１】
ステップＳ２３で所定時間経過したと判断すると（ステップＳ２３；Ｙｅｓ）、取得部１０３によって経過時間情報（所定の時間情報）を取得することとなり（ステップＳ２４）、経過時間情報に基づいて利用出来るコンテンツ情報と利用出来ないコンテンツ情報を各々把握する（ステップＳ２５）。
【００５２】
利用出来るコンテンツ情報と利用出来ないコンテンツ情報の把握は、ステップＳ２４で取得した経過時間情報と、所定時間に対応してコンテンツ情報の利用制限が規定された制限情報に基づいて実行される。制限情報はコンテンツ表示装置Ａにおける保持部１０２に保持されており、例えば以下の表３、表４に示すようなデータテーブルの情報である。なお、保持部１０２においてコンテンツ１〜コンテンツ５０の５０個のコンテンツ情報が保持されているものとする。
【００５３】
【表３】
2010066555.tif 000005
【００５４】
表３は、表示部１０４に表示されてからの経過時間毎にセキュリティレベルが設定されており、経過時間によって３段階に分かれている。例えばステップＳ２４において取得された経過時間が表示部１０４に表示されてから１日経過した時間であれば、保持部１０２に保持されているコンテンツ１〜コンテンツ５０の全てのコンテンツ情報が利用出来るコンテンツ情報であると把握される。また、例えばステップＳ２４において取得された経過時間が表示部１０４に表示されてから５日経過した時間であれば、表３に示す制限情報が利用され、保持部１０２に保持されているコンテンツ２〜５０が利用出来るコンテンツ情報であると把握される。また、コンテンツ１が一部利用出来るコンテンツ情報であると把握される。
【００５５】
【表４】
2010066555.tif 000006
【００５６】
表４は、コンテンツ毎に利用出来る経過時間、一部利用出来る経過時間、利用出来ない経過時間が規定されている。例えばステップＳ２４において取得された経過時間が、表示部１０４に表示されてから２日経過した時間であれば、コンテンツ１は利用出来るコンテンツ情報と把握されるが、コンテンツ２は利用出来ないコンテンツ情報であると把握される。なお、表４のように所定時間が経過したらコンテンツ情報が保持部１０２から消去されるようにしてもよい。
【００５７】
ステップＳ２３において利用出来るコンテンツ情報と利用出来るコンテンツ情報を把握すると、表示されるコンテンツ情報を変更するか否か判断する（ステップＳ２６）。
【００５８】
ステップＳ２６において表示されるコンテンツ情報を変更すると判断した場合は（ステップＳ２６；Ｙｅｓ）、表示されるコンテンツ情報の種類を変更する旨を通知部１０６により通知した後（ステップＳ２７）、ステップＳ２５で把握した利用出来るコンテンツ情報をコンテンツ表示装置Ａの表示部１０４に表示し（ステップＳ２８）、利用出来ないコンテンツ情報は機密性を考慮して表示部１０４に表示しない。
【００５９】
ステップＳ２６において表示されるコンテンツ情報を変更しないと判断した場合（ステップＳ２６；Ｎｏ）、以前把握されたものと同様の利用出来るコンテンツ情報をコンテンツ表示装置Ａにおける表示部１０４に表示し、利用出来ないコンテンツ情報は機密性を考慮して表示部１０４に表示しない。
【００６０】
そして電源ＯＦＦでない限り、ステップＳ２３〜Ｓ２８までの動作を繰り返す。
【００６１】
なお、ステップＳ２３において表示部１０４にコンテンツ情報が表示されてからの経過時間を取得部１０３に内蔵するタイマーで計測して所定の経過時間が経過したか否か判断したが、経過時間はこれに限定されることなく、例えば、コンテンツ情報が保持部１０２に保持されてからの経過時間をタイマーで計測して所定の経過時間が経過したか否か判断してもよい。
【００６２】
以上説明したように定期的に所定の時間情報を取得して利用出来るコンテンツ情報と利用出来ないコンテンツ情報を把握すれば、継続的に機密性の高いコンテンツ情報の漏洩を防止することが出来る。
【００６３】
なお、本発明は当該実施の形態に限定されるものではなく、本発明の要旨を逸脱しない範囲における変更や追加があっても本発明に含まれる。
【００６４】
図３に示す動作では、所定時間経過したら現在の時刻情報を取得し、その時刻情報から利用出来るコンテンツ情報と利用出来ないコンテンツ情報を各々把握したが、スケジューラと連動させて、例えば会議の時間になったらその時刻情報から利用出来るコンテンツ情報と利用出来ないコンテンツ情報を各々把握するようにしてもよい。
【００６５】
また、時刻情報や所定の時間情報に基づいてコンテンツ情報の利用を制限するだけでなく、コンテンツ表示装置Ａを利用するユーザー情報も考慮して、利用出来るコンテンツ情報と利用出来ないコンテンツ情報を把握するようにしても良い。
【００６６】
また、コンテンツ表示装置Ａにおいて利用出来るコンテンツ情報に対しては表示部１０４に表示させるだけでなく、他のコンテンツ表示装置に転送を許可するようにし、利用出来ないコンテンツ情報に対しては他のコンテンツ表示装置に転送を禁止したりするようにしても良い。
【図面の簡単な説明】
【００６７】
【図１】コンテンツ表示装置とＰＣが接続された状態を示す概略図である。
【図２】コンテンツ表示装置のブロック図である。
【図３】時刻を基準として利用出来るコンテンツ情報を把握してコンテンツ情報を表示部に表示する動作を示すフローチャート図である。
【図４】コンテンツ表示装置におけるコンテンツの表示形態を示す説明図である。
【図５】コンテンツ表示装置におけるコンテンツの表示形態を示す説明図である。
【図６】所定時点からの経過時間を基準として利用出来るコンテンツ情報を把握してコンテンツ情報を表示部に表示する動作を示すフローチャート図である。
【符号の説明】
【００６８】
Ａ  コンテンツ表示装置
１０１  制御部
１０２  保持部
１０３  取得部
１０４  表示部
１０５  選択部
１０６  通知部
１０７  通信部
【図１】
2010066555.tif 000007
【図２】
2010066555.tif 000008
【図３】
2010066555.tif 000009
【図４】
2010066555.tif 000010
【図５】
2010066555.tif 000011
【図６】
2010066555.tif 000012